(57)【要約】【課題】比較的小さな力でフィルムパック（袋体）内の粘性材料の全てを確実に絞り出すことが出来、コンパクトで簡単に運ぶことが出来る粘性材料を収容した袋体の絞り出し装置を提供する。【解決手段】絞り出し装置１０は、攪拌装置１とは分離して使用したり、また攪拌用パドル６のパドル軸５に対して装着して使用することも出来、この絞り出し装置１０の構成としては、攪拌用のパドル軸５に対して着脱可能に構成した断面凹状に形成された支持フレーム１１に、フィルム状の袋体Ｑを巻付けながら巻取る回転自在な巻取りロール１２と、この巻取りロール１２に前記袋体Ｑを弾性的に押圧させるロール状の押圧部材１３とを並列した状態で配設し、前記巻取りロール１２の一端に設けたハンドル１４を一定方向に回転させながら前記巻取りロール１２と押圧部材１３とで袋体Ｑを挟持させて内容物Ｗを絞り出し、かつ巻取りロール１２に袋体Ｑを順次巻取るように構成してある。【選択図】  図１
2007290729.tif 000002
【特許請求の範囲】
【請求項１】
攪拌用のパドル軸に着脱可能に構成した支持フレームに、フィルム状の袋体を巻付けながら巻取る回転自在な巻取りロールと、この巻取りロールに前記袋体を弾性的に押圧させる押圧部材とを設け、前記巻取りロールの一端に設けたハンドルを回転させながら前記巻取りロールと押圧部材とで袋体を挟持させて内容物を絞り出し、かつ巻取りロールに袋体を順次巻取るように構成したことを特徴とする粘性材料を収容した袋体の絞り出し装置。
【請求項２】
前記巻取りロールの外周面の長手方向に、袋体の端末部を係止させるスリットを設けた請求項１に記載の粘性材料を収容した袋体の絞り出し装置。
【請求項３】
前記押圧部材は、板バネまたはコイルバネから成る弾性部材を介して巻取りロールに弾性的に押圧させる請求項１または２に記載の粘性材料を収容した袋体の絞り出し装置。
【請求項４】
前記押圧部材は、ゴムロールを使用した請求項１，２または３に記載の粘性材料を収容した袋体の絞り出し装置。
【請求項５】
前記支持フレームに係合部材を設け、この係合部材を介して前記攪拌用のパドル軸に設けた係合部に対して着脱可能に設けた請求項１，２，３または４に記載の粘性材料を収容した袋体の絞り出し装置。
【請求項６】
前記支持フレームに係合部材と攪拌用のパドル軸に設けた係合部とが多角形状の凹凸部材である請求項５に記載の粘性材料を収容した袋体の絞り出し装置。
【請求項７】
前記支持フレームに設けた係合部材を、前記攪拌用のパドル軸に設けた連結部材を介して回転かつ着脱可能に設けた請求項５または６に記載の粘性材料を収容した袋体の絞り出し装置。
【発明の詳細な説明】
【技術分野】
【０００１】
この発明は、２液性シーリング材等の粘性材料を封入した袋体の絞り出し装置に係わり、更に詳しくは袋体内の粘性材料を比較的小さな力で確実に絞り出すことが出来るハンディータイプの絞り出し装置に関するものである。
【背景技術】
【０００２】
一般に２液性シーリング材は、主剤を収納した容器（缶）と、硬化剤及びカラーマスターをそれぞれ封入したフィルムパック（袋体）とがセットになっており、そして使用直前に、フィルムパック（袋体）の一辺を切断して容器中に絞り出し、攪拌装置により十分に混合して使用するものである。
【０００３】
従来の攪拌装置１としては、例えば、図８に示すように、装置の支持台２上に、粘性材料Ｗを収容した容器３を回転させる回転テーブル４と、容器３内の粘性材料Ｗを攪拌するパドル軸５と攪拌用パドル６（攪拌用攪拌翼）とで構成された攪拌手段７とが設置されている。また、フィルムパックされた硬化剤及びカラーマスター等を絞り出す絞り出し装置は、攪拌装置１とは別の装置になっている（例えば、特許文献１参照）。
【０００４】
ところで、絞り出し装置を使用しない場合、２液性シーリング材の使用時に、硬化剤及びカラーマスターを開封して主剤を収納した容器３内へ絞り出す作業には、多くの手間と時間がかかり、また完全に絞り出せないのが現状である。また、硬化剤等が高粘度である場合には、フィルムパックすることが出来ず、容器に入れたものを使用する場合には、その容器からへら等を使用して掻き出すものもあり、近年の産業廃棄物の削減には貢献出来ていないのが現状であり、更に缶等の容器を使用する場合には、フィルムパックに比較して高価となる問題があった。
【０００５】
また、上記のような攪拌装置１とは別に絞り出し装置を用いてフィルムパックされた硬化剤及びカラーマスター等を絞り出す装置も提案されているが、この絞り出し装置は攪拌装置１と常に対となって持ち運ぶ必要があり、多くの手間と時間がかかると言う問題があり、更に形状が大きい上に重量が大きく、また操作に手間がかかる等、機能上に問題があった（例えば、特許文献２参照）。
【特許文献１】実願平４−８１９４５号（実開平６−４２６２６号公報のマイクロフィルム）
【特許文献２】実願平４−８１９４６号（実開平６−４２６９９号公報のマイクロフィルム）
【発明の開示】
【発明が解決しようとする課題】
【０００６】
この発明はかかる従来の問題点に着目し、比較的小さな力でフィルムパック（袋体）内の粘性材料の全てを確実に絞り出すことが出来、コンパクトで簡単に運ぶことが出来る粘性材料を収容した袋体の絞り出し装置を提供することを目的とするものである。
【課題を解決するための手段】
【０００７】
この発明は上記目的を達成するため、攪拌用のパドル軸に着脱可能に構成した支持フレームに、フィルム状の袋体を巻付けながら巻取る回転自在な巻取りロールと、この巻取りロールに前記袋体を弾性的に押圧させる押圧部材とを設け、前記巻取りロールの一端に設けたハンドルを回転させながら前記巻取りロールと押圧部材とで袋体を挟持させて内容物を絞り出し、かつ巻取りロールに袋体を順次巻取るように構成したことを要旨とするものである。
【０００８】
ここで、前記巻取りロールの外周面の長手方向に、袋体の端末部を係止させるスリットを設け、前記押圧部材は、板バネまたはコイルバネから成る弾性部材を介して巻取りロールに弾性的に押圧させ、また前記押圧部材は、ゴムロールを使用することも可能である。
【０００９】
また前記支持フレームに係合部材を設け、この係合部材を介して前記攪拌用のパドル軸に設けた係合部に対して着脱可能に設け、前記支持フレームに係合部材と攪拌用のパドル軸に設けた係合部とが多角形状の凹凸部材であり、更に前記支持フレームに設けた係合部材を、前記攪拌用のパドル軸に設けた連結部材を介して回転かつ着脱可能に設けるものである。
【００１０】
このように、この発明の絞り出し装置は、攪拌装置とは分離して使用したり、また攪拌用のパドル軸に対して装着して使用することも出来、比較的小さな力でフィルムパック（袋体）内の粘性材料の全てを確実に絞り出すことが出来、またコンパクトな構成であるため軽量で安価に製作出来ると共に、簡単に持ち運ぶことが出来る。
【発明の効果】
【００１１】
この発明は、上記のように攪拌用のパドル軸に着脱可能に構成した支持フレームに、フィルム状の袋体を巻付けながら巻取る回転自在な巻取りロールと、この巻取りロールに前記袋体を弾性的に押圧させる押圧部材とを設け、前記巻取りロールの一端に設けたハンドルを回転させながら前記巻取りロールと押圧部材とで袋体を挟持させて内容物を絞り出し、かつ巻取りロールに袋体を順次巻取るように構成したので、以下のような優れた効果を奏するものである。
【００１２】
(a).攪拌用のパドル軸に対して固定が容易にあるため、比較的小さな力でフィルムパック（袋体）内の粘性材料の全てを確実に絞り出すことが出来る。
(b).絞り出し装置は攪拌装置とは分離して使用したり、また攪拌用パドルの軸に対して装着して使用することも出来る。
(c).コンパクトな構成で、安価に製作出来ると共に、軽量であるため簡単に持ち運ぶことが出来、作業員の負担も軽減することが出来る。
(d).絞り出し作業が容易であるため高粘度の材料もフィルムパック化することが出来る。(e).袋体をフィルムパック化出来るので、コストダウンを図ることが出来ると共に、産業廃棄物の削減が出来る。
【発明を実施するための最良の形態】
【００１３】
以下、添付図面に基づき、この発明の実施形態を説明する。なお、従来例と同一構成要素は、同一符号を付して説明は省略する。
【００１４】
図１は、この発明を実施した絞り出し装置の使用状態を示す斜視図、図２（ａ），（ｂ）は、図１のＡ−Ａ矢視の操作状態の説明図、図３は絞り出し装置の平面図、図４は攪拌用のパドル軸に絞り出し装置を取付けた状態の一部縦断正面図を示している。
【００１５】
前記絞り出し装置１０は、攪拌装置１とは分離して使用したり、また攪拌用パドル６のパドル軸５に対して装着して使用することも出来、この絞り出し装置１０の構成としては、図１〜図４に示すように、攪拌用のパドル軸５に対して着脱可能に構成した断面凹状に形成された支持フレーム１１に、フィルム状の袋体Ｑを巻付けながら巻取る回転自在な巻取りロール１２と、この巻取りロール１２に前記袋体Ｑを弾性的に押圧させるロール状の押圧部材１３とを並列した状態で配設し、前記巻取りロール１２の一端に設けたハンドル１４を一定方向に回転させながら前記巻取りロール１２と押圧部材１３とで袋体Ｑを挟持させて内容物Ｗ（粘性材料）を絞り出し、かつ巻取りロール１２に袋体Ｑを順次巻取るように構成してある。
【００１６】
前記巻取りロール１２は、金属または樹脂材料により断面円形状に形成され、外周面の長手方向には、前記袋体Ｑの端末部を係止させるスリット１５を設け、また両端中央にはロール支持軸１２ａ，１２ｂを一体的に形成されている。そして、ロール支持軸１２ａ，１２ｂは、前記断面凹状に形成された支持フレーム１１の側面部１１ａに形成された支持穴１６に回転自在に支持され、また支持フレーム１１の側面部１１ａから突出したロール支持軸１２ｂには、回転操作用のハンドル１４が一体的に取付けられている。
【００１７】
また、巻取りロール１２上に平行に配設された前記ロール状の押圧部材１３は、金属または樹脂材料、或いはゴム材料により断面円形状のロール体に形成され、この押圧部材１３の両端中央には、支持フレーム１１の側面部１１ａに形成された縦長穴状のガイド穴１７に沿って昇降可能に係合する支持軸１３ａ，１３ｂが一体的に形成されている。
【００１８】
また、押圧部材１３の支持軸１３ａ，１３ｂには、押圧部材１３の外周面を巻取りロール１２の外周面に対して常時、所定の弾性的に押圧させる板バネまたはコイルバネから成る弾性部材１８が設けてあり、この弾性部材１８の弾性力は、支持フレーム１１の側面部１１ａの上部に設けた調整ネジ１９により調整可能になっている。
【００１９】
また、前記断面凹状に形成された支持フレーム１１の底面部１１ｂの中央下面には、前記攪拌用のパドル軸５に設けた係合部５ａに対して着脱可能な突起状の係合部材２０が設けてあり、この係合部材２０は、絞り出し装置１０の使用時に、図４に示すようにパドル軸５に設けた係合部５ａに取付けて袋体Ｑ内の粘性材料Ｗを容器３内に絞り出すように操作するものである。
【００２０】
なお、前記支持フレーム１１に係合部材２０と攪拌用のパドル軸５に設けた係合部５ａとは、多角形状の凹凸部材であることが好ましく、円形の凹凸部材である自由に回転して位置決めが難しい上に安定せず、出来れば六角形等の多角形状の凹凸部材で形成することが望ましい。
【００２１】
このように構成した絞り出し装置１０の使用方法としては、絞り出し装置１０を攪拌装置１とは単独に搬送または持ち運び、絞り出し装置１０を単独に使用する場合には、容器上に絞り出し装置１０の支持フレーム１１を設置して、巻取りロール１２とロール状の押圧部材１３との間に袋体Ｑの一端を差し込んで固定する。そして袋体Ｑを巻取りロール１２に巻取りながら、かつ内容物である粘性材料を容器３内に順次絞り出すようにするものである。
【００２２】
また、攪拌装置１のパドル軸５に設けた係合部５ａに、支持フレーム１１に係合部材２０を係合させた状態で使用する場合には、図４及び上述したように、絞り出し装置１０を容器３内に設置した状態で、袋体Ｑの一端側を巻取りロール１２のスリット１５に係止させた状態で、巻取りロール１２とロール状の押圧部材１３との間に袋体Ｑの端を差し込んで袋体Ｑを巻取りロール１２に巻取り、かつ内容物である粘性材料を容器３内に順次絞り出すようにするものである。
【００２３】
なお、攪拌装置１のパドル軸５に絞り出し装置１０の支持フレーム１１に設けた係合部材２０を係合させる場合、巻取りロール１２とロール状の押圧部材１３とがパドル軸５と干渉せず、かつ袋体Ｑの内容物である粘性材料を容器３内に順次絞り出すことが出来るように、パドル軸５と平行な位置で、巻取りロール１２とロール状の押圧部材１３とは容器３の開口部の縁側に位置させる必要がある。
【００２４】
また巻取りロール１２とロール状の押圧部材１３とは、容器３の開口部縁部に対して平行に設置するか、または開口部縁部に対して鉛直向きとなるように設置して袋体Ｑの内容物である粘性材料を容器３内に順次絞り出すことにより、袋体Ｑの巻取りと内容物である粘性材料を効率良く容器３内に絞り出すことが出来る。
【００２５】
次に、図５〜図７はこの発明の第２実施形態を示し、この実施形態は、上記実施形態と異なり袋体Ｑの端末部を二本のロール１２ａ，１３ａ間に挟み込み、その端末部を引っ張り上げながら袋体Ｑの開口端末部から粘性材料を容器３内に絞り出す場合である。
【００２６】
この実施形態では、攪拌用のパドル軸５にビス等の締結部材２１を介して着脱可能な連結部材２２を設け、この連結部材２２に絞り出し装置１０を任意の旋回角度で取付けることが出来るように構成してある。
【００２７】
即ち、この第２実施形態では、二枚の挟持部材２３と締結部材２１とでパドル軸５の任意の位置に締め付け固定し、この挟持部材２３上に設けた貫通穴２４を備えた旋回部材２５に絞り出し装置１０の係合部材２０を係合させて固定し、前記旋回部材２５を水平方向に旋回させることで絞り出し装置１０を、図６または図７に示すように、容器３上の任意の位置に位置決めし、袋体Ｑ内の内容物である粘性材料を効率良く容器３内に絞り出すことが出来るようにしたものである。
【００２８】
この実施形態では、袋体Ｑ内の内容物である粘性材料を絞り出す際、袋体Ｑの端末部を引っ張り上げる力と、押す力が必要となるため、絞り出し装置１０の係合部材２０をパドル軸５に設けた係合部５ａに係合させて固定し、力を軽減させようとしたものである。
【００２９】
また係合部５ａと係合部材２０との形状を円形ではなく多角形にすることで、力を入れて引っ張り上げた場合でも円形のようにロール向きが変化せず、常に一定のロール位置を保持させることが出来、袋体Ｑ内の内容物である粘性材料を効率良く容器３内に絞り出すことが出来るものである。なお、ロール向きが変化しないことで、容器３内に袋体Ｑの端末部が垂れ落ちることも防止させることが出来る。
【００３０】
このようにして袋体Ｑ内の内容物である粘性材料を容器３内に絞り出し、作業が終了した後、旋回部材２５から絞り出し装置１０の係合部材２０を取外すことで任意の位置に搬送したり、持ち運ぶことが出来る。
【００３１】
以上のように、この発明の実施形態では、絞り出し装置１０は、攪拌装置１とは分離して使用したり、また攪拌用のパドル軸５に対して装着して使用することも出来、比較的小さな力でフィルムパック（袋体）Ｑ内の粘性材料Ｗの全てを確実に絞り出すことが出来、またコンパクトな構成であるため軽量で安価に製作出来ると共に、簡単に持ち運ぶことが出来る。
【図面の簡単な説明】
【００３２】
【図１】この発明を実施した絞り出し装置の使用状態を示す斜視図である。
【図２】（ａ），（ｂ）は、図１のＡ−Ａ矢視の操作状態の説明図である。
【図３】絞り出し装置の平面図である。
【図４】攪拌用のパドル軸に絞り出し装置を取付けた状態の一部縦断正面図この発明の第１実施形態を示す攪拌手段の正面図である。
【図５】この発明の第２実施形態を示す攪拌用のパドル軸に連結部材を取付けた状態を示す正面図である。
【図６】この発明の第２実施形態における絞り出し装置の取付け状態を示す説明図である。
【図７】この発明の第２実施形態における絞り出し装置の他の取付け状態を示す説明図である。
【図８】従来の攪拌装置の斜視説明図である。
【符号の説明】
【００３３】
１  攪拌装置                    ２  支持台
３  容器                        ４  回転テーブル
５  パドル軸                    ６  攪拌用パドル（攪拌用攪拌翼）
５ａ  係合部
７  攪拌手段                    Ｗ  粘性材料
１０  絞り出し装置              １１  支持フレーム
１１ａ  側面部                  １１ｂ  底面部
１２  巻取りロール              １３  押圧部材
１２ａ，１２ｂ  ロール支持軸
１３ａ，１３ｂ  支持軸          １４  ハンドル
１５  スリット                  １６  支持穴
１７  ガイド穴                  １８  弾性部材
１９  調整ネジ                  ２０  係合部材
２１  締結部材                  ２２  連結部材
２３  挟持部材                  ２４  貫通穴
２５  旋回部材                                                                    Ｑ  フィルム状の袋体
【図１】
2007290729.tif 000003
【図２】
2007290729.tif 000004
【図３】
2007290729.tif 000005
【図４】
2007290729.tif 000006
【図５】
2007290729.tif 000007
【図６】
2007290729.tif 000008
【図７】
2007290729.tif 000009
【図８】
2007290729.tif 000010